(57)【要約】      （修正有）【課題】携帯と収納が便利で電気接点摩損とノイズによる信号エラーを防止する単一式リール構造の提供。【解決手段】単一式リール構造は、上蓋、定位素子、トラック座、スクロール型ばね、旋転ベース、伝送線と下蓋からなる。旋転ベース上方はスクロール型ばねを定位し、下方は伝送線を固定、繞設し、旋転ベース上方はトラック座を係合し、トラック座は環状トラックを有する。上蓋下方は定位素子槽を設置し、定位素子槽内は定位素子を有し、定位素子は環形トラック中で移動する。下蓋中間に軸柱を延伸し、軸柱はノッチを設置し、ノッチはスクロール型ばねと伝送線を固定し、トラック座と旋転ベースはほぞにより係合すると共に軸柱に軸設され、上蓋と下蓋を係合し、単一式リール構造が完成する。【選択図】図４
0003133928.tif 000002
【実用新案登録請求の範囲】
【請求項１】
単一式リール構造であって、上蓋、定位素子、トラック座、スクロール型ばね、旋転ベース、伝送線と下蓋からなり、
前記上蓋は前記単一式リール構造の上部外殻を包覆し、定位素子槽と定位素子固定柱を有し、
前記定位素子は前記定位素子槽中に位置し、一端はトラック座の環状トラック中に嵌設され、
前記トラック座は上方に環状トラックを有し、且つ、前記環状トラック内に定位槽を設置し、前記定位素子が特定位置に滑動する時、前記定位槽を定位させ、前記スクロール型ばねの回復力を抵止し、
前記スクロール型ばねは前記旋転ベース上方の前記スクロール型ばね槽に位置し、前記スクロール型ばね中央は下蓋中央軸柱のノッチに嵌設され、前記旋転ベース転動時に回復弾力を提供し、
前記旋転ベースは中央に貫通孔を有して前記下蓋の軸柱を穿過させ、上方はスクロール型ばね槽で前記スクロール型ばねを配置し、下方は伝送線固定槽で、前記伝送線固定槽内は前記伝送線を固定した後、前記伝送線は前記伝送線槽外周を更に繞設し、
前記伝送線は一端が伝送線固定槽内にあり、前記下蓋の軸柱を数回環繞した後、末端が軸柱に固定されると共に、前記下蓋外に延伸し、もう一端は前記伝送線固定槽外に繞設され、繞設方向と伝送線固定槽内の伝送線は相反し、外周の伝送線は前記下蓋の出線孔から外に延伸し、前記伝送線の両端は各種ヘッドを装設でき、
前記下蓋は前記単一式リール構造の下部外殻を包覆し、出線孔を有して、前記伝送線を引き出し、
前記上蓋と前記下蓋間に前記旋転ベースによりスクロール型ばねを設置し、前記伝送線がその上に繞設し、前記伝送線固定槽内外周の伝送線両端の繞設方交が相反し、前記伝送線固定槽外の伝送線が外に向かって引かれる、或いは、収回される時、伝送線固定槽内の軸柱を数回環繞した伝送線もそれに伴って緩むか縮収されて、緩衝となり、且つ、前記伝送線の引動の空間となり、前記伝送線の固定の一端は軸柱下方から前記下蓋外に伸出し、前記トラック座は旋転ベースの上方を蓋設し、前記トラック座上方に環状トラックを有し、前記上蓋と前記トラック座間の定位素子が前記環状トラック中で滑動し、且つ、前記上蓋は前記定位素子槽を有して前記定位素子を移動させ、前記伝送線が引動される時、前記旋転ベースと前記トラック座も前記伝送線に伴って旋転し、前記スクロール型ばねは旋転により回復弾力を生成して前記伝送線を自身で収回させ、旋転時、前記定位素子は前記トラック座の旋転により環状トラック中で滑動し、且つ、前記伝送線を一定の長さに引き出す時、前記定位素子は前記環状トラック内の定位槽に滑入して、前記伝送線は固定の長さに維持され、使用者が電子製品を連接するのに便利であることを特徴とする単一式リール構造。
【請求項２】
前記定位素子はピックであることを特徴とする請求項1に記載の単一式リール構造。
【請求項３】
前記伝送線両端のヘッドはUSB、MINI  USB、IEEE１３９４、RJ11、RJ4５であることを特徴とする請求項1に記載の単一式リール構造。
【請求項４】
前記伝送線の一端は音源ヘッドであることを特徴とする請求項1に記載の単一式リール構造。
【請求項５】
前記伝送線の一端は信号線を有するイヤフォンであることを特徴とする請求項1に記載の単一式リール構造。
【請求項６】
前記伝送線の一端は車輌用充電ヘッドであることを特徴とする請求項1に記載の単一式リール構造。
【考案の詳細な説明】
【技術分野】
【０００１】
本考案はリール構造に関するものであって、スクロール型ばねにより弾力を提供して伝送線を自動収回し、定位素子と環状トラックにより伝送線の引き出しが分段固定でき、優れた定位と固定構造を有し、且つ、同一の伝送線により両端子を連結し、公知のリールが回路板、ゴールドフィンガー、環状接点により両端の伝送線を連接する際に生成される摩損と接触不良の問題を改善する単一式リールに関するものである。
【背景技術】
【０００２】
科学技術の発展に伴い、各種電子製品が開発され、電子製品間におけるデータの相互伝送共有はよく見られることである。常用のUSB伝送線はデータを伝送する最適な手段であり、伝送線は収納が不便で、絡まる問題がよく生じ、携帯時や使用時に不便が生じる。
【０００３】
一般のリールは中華民国（台湾）の特許第０９３２１５４２３号の「隠蔵式イヤフォンを有するPDA」で開示されるように、イヤフォンとUSBコネクタは異なる伝送線を利用し、功能回路板とイヤフォン回路板の接点接触により伝送信号を得るもので、設計は伝送線の目的を達成するが、両回路板の電気接点は長期使用下で摩損により接触不良を生じ、また、回路板の連接により信号エラー、ノイズ等の問題を引き起こす。
【考案の開示】
【考案が解決しようとする課題】
【０００４】
本考案の目的は伝送線の携帯と収納に不便で、電気接点摩損とノイズにより信号エラーが生じる問題を改善する単一式リールを提供することにある。  
【課題を解決するための手段】
【０００５】
上述の問題を達成するため、本考案の単一式リール構造は、伝送線を旋転ベース上に繞設し、伝送線が絡まることや作動不順を防止し、スクロール型ばねにより弾力を提供して伝送線を自動収回し、定位素子と環状トラックにより伝送線を引き出す時、定位素子が環状トラック中で滑動し、伝送線が一定の長さに引き出される時、定位素子は定位槽で係止し、引き出した伝送線を分段固定する。且つ、単一式リール構造は、同一の伝送線により両端子を連結し、公知のリールが回路板、ゴールドフィンガー、環状接点により両端子を連接し、公知のリールが回路板、ゴールドフィンガー、環状接点により両端の伝送線を連接する際に生成される摩損と接触不良の問題を改善する。
【考案の効果】
【０００６】
本考案により、携帯と収納が便利になり、且つ、電気接点摩損とノイズにより信号エラーが生じる問題を改善することができる。
【考案を実施するための最良の形態】
【０００７】
図１と図２は公知の単一式リールの実施例分解図ともう一つの実施例分解図である。公知の単一式リール１は定位素子１２、例えば、ピックやボールを設置し、定位素子１２はトラック座１３で旋転を制御すると共に、スクロール型ばね１４により回復弾性を提供する。公知の信号線はイヤフォンの伝送線１１１に分けられ、イヤフォンの伝送線１１１はイヤフォン回路板１１２上に連接され、イヤフォン回路板１１２上の一側に環形接点を有する。リールのもう一端のUSBヘッドの伝送線１５１は功能回路板１６に連接され、USBヘッド１５が受信する信号は功能回路板１６の電気接点１６１によりイヤー回路板１１２上の環形接点と接触導通し、信号をイヤフォンに出力する。公知の欠点は伝送線が両回路板を通過した後ノイズが増え、信号エラーが生じ、且つ、環形接点はイヤフォンの伝送線１１１の引き伸ばしに伴い転動し、功能回路板１６の電気ヘッド１６１と不断に摩擦し、信号が更に多くのノイズを生じる以外に、更に、接点の摩損、接触不良による損壊を招く。
【０００８】
図３〜図５は本考案の単一式リール構造の分解図、組み合わせ図と信号線の繞設図である。本考案のリール構造は上蓋２、定位素子３、トラック座４、スクロール型ばね５、旋転ベース６、伝送線７と下蓋８からなる。上蓋２と下蓋８間にトラック座４と旋転ベース６を有する。下蓋８の軸柱８２により、旋転ベース６を穿過し、且つ、スクロール型ばね５と伝送線７を固定する。上蓋２下方の内側は定位素子槽２１と定位素子固定柱２１１と上蓋２の係孔２２を有し、定位素子槽２１は定位素子３の設置と動作空間を提供する。定位素子３は定位素子固定柱２１１により固定され、上蓋２下方はトラック座４で、トラック座４上方は環状トラック４１を有し、トラック座４下方は旋転ベース６を有し、旋転ベース６上方はスクロール型ばね槽６１を有して、スクロール型ばね５を中に設置する。旋転ベース６下方は伝送線固定槽６２を有し、伝送線固定槽６２内部中央は、下蓋８の軸柱８２により貫通し、伝送線７の一端は伝送線固定槽６２内で軸柱８２を数回繞り、更に、軸柱８２のノッチ８２１に固定される。末端は外に向かって下蓋８外に延伸し、その後、軸柱８２上の伝送線７のもう一端が伝送線固定槽６２から引き出され、反対方向に伝送線固定槽６２外周を繞設し、末端は下蓋８の出線孔８３から伸出し、適当な長さに引き出せる。伝送線固定槽６２外周の伝送線７が引き出される、或いは、収回される時、伝送線固定槽６２内の軸柱を環繞する伝送線７はそれに伴って緩むか縮収されて、緩衝となり、且つ、伝送線７の引動の空間となる。伝送線７は旋転ベース６に繞設され、且つ、軸柱８２に固定された後、スクロール型ばね５は旋転ベース６のスクロール型ばね槽６１中でも軸柱上のノッチ８２１に固定された後、旋転ベースのほぞ６３はトラック座の係孔４２と係合し、定位素子３が上蓋２の定位素子槽２１に固定された後、上蓋２は下蓋８と下蓋のほぞ８１と上蓋の係孔２２が係合することにより、単一式リール構造を形成する。
【０００９】
図６と図７は本考案の単一式リール構造の断面図と定位素子滑行を示す図である。図から分かるように、ルール構造の組み合わせ構造は、上蓋２と下蓋８の間が旋転ベース６によりスクロール型ばね５と伝送線７を上に繞設し、伝送線７の固定の一端は軸柱８２下方から下蓋８外に伸出し、トラック座４は旋転ベース６の上方を蓋設し、トラック座４上方に環状トラック４１を有し、上蓋２とトラック座４間の定位素子３が環状トラック４１中で滑動する。且つ、上蓋２は定位素子槽２１を有して定位素子３を移動させる。伝送線７が引動される時、旋転ベース６とトラック座４も伝送線７に伴って旋転し、スクロール型ばね５は旋転により回復弾力を生成して伝送線７を自身で収回させ、旋転時、定位素子３はトラック座４の旋転により環状トラック４１中で滑動し、且つ、伝送線７を一定の長さに引き出す時、定位素子３は環状トラック４１内の定位槽４１１に滑入して、伝送線７は固定の長さに維持され、使用者が電子製品を連接するのに便利である。
【００１０】
図８と図９は本考案の単一式リール構造の立体図と実施例立体図で、本考案のリール構造は携帯と収納に便利な構造であり、両端ヘッドを有し、一端の伝送線７は固定長さで、もう一端は出線孔８３から伸出し、適当な長さに引き出した後、伝送線７の両端は相同のUSBヘッド７１の使用を選択でき、或いは、一端はUSBヘッド７１を使用し、もう一端がMINI  USBヘッド７２を使用し、各端は各種異なるヘッドを選用して、異なる電子製品を連接する。
【図面の簡単な説明】
【００１１】
【図１】公知の単一式リールの実施例分解図である。
【図２】公知の単一式リールのもう一つの実施例の分解図である。
【図３】本考案の単一式リール構造の分解図である。
【図４】本考案の単一式リール構造の組み合わせ図である。
【図５】本考案の単一式リール構造の伝送線繞設図である。
【図６】本考案の単一式リール構造の断面図である。
【図７】本考案の単一式リール構造の定位素子滑行図である。
【図８】本考案の単一式リール構造の立体図である。
【図９】本考案の単一式リール構造の実施例立体図である。
【符号の説明】
【００１２】
１        公知の単一式リール
１１      イヤフォンモジュール
１１１    イヤフォンの伝送線
１１２    イヤフォン回路板
１２      ピック
１３      トラック座
１４      スクロール型ばね
１５      USBヘッド
１５１    USBヘッドの伝送線
１６      功能回路板
１６１    電気接点
２        上蓋
２１      定位素子槽
２１１    定位素子固定柱
２２      上蓋の係孔
３        定位素子
４        トラック座
４１      環状トラック
４１１    定位槽
４２      トラック座の係孔
５        スクロール型ばね
６        旋転ベース
６１      スクロール型ばね槽
６２      伝送線固定槽
６３      旋転ベースのほぞ
７        伝送線
７１      USBヘッド
７２      MINI USBヘッド
８        下蓋
８１      下蓋のほぞ
８２      軸柱
８２１    ノッチ
８３      出線孔        
【図１】
0003133928.tif 000003
【図２】
0003133928.tif 000004
【図３】
0003133928.tif 000005
【図４】
0003133928.tif 000006
【図５】
0003133928.tif 000007
【図６】
0003133928.tif 000008
【図７】
0003133928.tif 000009
【図８】
0003133928.tif 000010
【図９】
0003133928.tif 000011